(57)【要約】【課題】結露水処理構造にみられるサービス性悪化を改善した空気調和機の室内ユニットを提供すること。【解決手段】本発明の空気調和機の室内ユニットは、内部に冷媒と空気とが熱交換する室内熱交換器３と、室内熱交換器３の前面に塵埃を捕集するエアフィルタ２を保持するフィルタワク１と、室内熱交換器３から滴下する凝縮水を捕集する露受皿と、露受皿に導水する補助露受皿５とを少なくとも有する空気調和機の室内ユニットであって、補助露受皿５をフィルタワク１に一体成型すること。【選択図】図１
2011257027.tif 000002
【特許請求の範囲】
【請求項１】
内部に冷媒と空気とが熱交換する室内熱交換器と、前記室内熱交換器の前面に塵埃を捕集するエアフィルタを保持するフィルタワクと、前記室内熱交換器から滴下する凝縮水を捕集する露受皿と、前記露受皿に導水する補助露受皿とを少なくとも有する空気調和機の室内ユニットであって、前記補助露受皿を前記フィルタワクに一体成型することを特徴とする空気調和機の室内ユニット。
【請求項２】
前記補助露受皿に保湿材料を貼り付けたことを特徴とする請求項１に記載の空気調和機の室内ユニット。
【請求項３】
前記補助露受皿が銀化合物であることを特徴とする請求項１に記載の空気調和機の室内ユニット。
【発明の詳細な説明】
【技術分野】
【０００１】
本発明は、空気調和機の室内ユニットに結露水処理の構造を有したエアフィルタを備えた空気調和機に関するものである。
【背景技術】
【０００２】
従来、空気調和機内に熱交換器および送風機を具備した通風路を形成し、この通風路の吹出し側に、前記熱交換器からの結露水を受ける主露受皿を吹出口に一体形成した吹出しグリルを設け、さらに熱交換器側面配管からの結露水を前記吹出しグリルの主露受皿に導くように配置された補助露受専用部品を具備する空気調和機がある（例えば、特許文献１参照）。
【０００３】
セパレート型空気調和機における室内ユニットは、高温多湿条件下にて連続運転を行なうと、熱交換器には結露水が発生するため、主露受皿で結露水を処理するが、特に側面配管に発生する結露水は、部品配置空間を確保するため主露受皿だけでは導水できない位置となることが多く、この対策として、熱交換器の側面に室内機ダイワク側に補助露受専用部品を固定する構造を設け、これを用いて主露受皿に結露水を導く構成をとっている。
【０００４】
図２は、従来の空気調和機の室内ユニットの部分斜視図である。図２に示すように、室内熱交換器３の下部に設けられている主露受皿（図示せず）に結露水を導くために、補助露受皿５が設けられている。そしてサービス時には、フィルタワク１を取り外した後、補助露受皿５を取り外す必要がある。
【先行技術文献】
【特許文献】
【０００５】
【特許文献１】特開２００１−１２４３６３号公報
【発明の概要】
【発明が解決しようとする課題】
【０００６】
しかしながら、メンテナンス等のサービス時に、作業者が熱交換器前面に配置されているフィルタを保持するフィルタワクを取り外した後、さらに、補助露受専用部品の取外が必要となり、サービス性が悪化するという問題を有していた。
【０００７】
本発明は、前記従来の課題を解決するもので、結露水処理構造にみられるサービス性悪化を改善した空気調和機の室内ユニットを提供することを目的とする。
【課題を解決するための手段】
【０００８】
前記従来の課題を解決するために、本発明の空気調和機の室内ユニットは、内部に冷媒と空気とが熱交換する室内熱交換器と、室内熱交換器の前面に塵埃を捕集するエアフィルタを保持するフィルタワクと、室内熱交換器から滴下する凝縮水を捕集する露受皿と、露受皿に導水する補助露受皿とを少なくとも有する空気調和機の室内ユニットであって、補助露受皿をフィルタワクに一体成型することにより、サービス時にはフィルタワク取外しに合せて、補助露受皿が外れ、サービス性が向上する。
【発明の効果】
【０００９】
本発明は、結露水処理構造にみられるサービス性悪化を改善した空気調和機の室内ユニットを提供することができる。
【図面の簡単な説明】
【００１０】
【図１】本発明の実施の形態１における空気調和機の室内ユニットの部分斜視図
【図２】従来の空気調和機の室内ユニットの部分斜視図
【発明を実施するための形態】
【００１１】
第１の発明の空気調和機の室内ユニットは、内部に冷媒と空気とが熱交換する室内熱交換器と、室内熱交換器の前面に塵埃を捕集するエアフィルタを保持するフィルタワクと、室内熱交換器から滴下する凝縮水を捕集する露受皿と、露受皿に導水する補助露受皿とを少なくとも有する空気調和機の室内ユニットであって、補助露受皿をフィルタワクに一体成型することにより、サービス時にはフィルタワク取外しに合せて、補助露受皿が外れ、サービス性が向上する。
【００１２】
第２の発明の空気調和機の室内ユニットは、特に第１の発明において、補助露受皿に保湿材料を貼り付けたことにより、フィルタワク取外しの際の水の滴下を防ぐことができる。
【００１３】
第３の発明の空気調和機の室内ユニットは、特に第１または第２の発明において、補助露受皿が銀化合物であることにより、露受皿ならびに補助露受皿における細菌繁殖を抑制することができる。
【００１４】
以下、本発明の実施の形態について、図面を参照しながら説明する。なお、この実施の形態によって本発明が限定されるものではない。
【００１５】
（実施の形態１）
図１は、本発明の実施の形態における空気調和機の室内ユニットの部分斜視図である。なお、本実施の形態における空気調和機は、室外ユニットと室内ユニットの２つで構成され、それぞれが冷媒配管で接続されることにより、構成されている。本実施の形態においては、室外ユニットおよび室内ユニットの冷媒回路についての説明は省略する。
【００１６】
図１において、本実施の形態１の室内ユニットは、少なくとも冷媒と室内空気とが熱交換を行う室内熱交換器３と、室内熱交換器３の前部には塵埃を捕集するエアフィルタ２が設けられている。さらにエアフィルタ２は、フィルタワク１に保持されており、室内ユニットの運転時に内部へ塵埃が侵入することを防止している。
【００１７】
また、室内熱交換器３の下には、結露水等の発生する水分を捕集する露受皿が一体的に形成された吹出しグリル４が配置されている。
【００１８】
さらに、本実施の形態では、露受皿に水分を誘導するように補助露受皿５を有しており、補助露受皿５とフィルタワク１とが一体的に形成されている。
【００１９】
以上のように構成された室内ユニットにおいて、メンテナンス等のサービス時には、フィルタワク１を取り外すだけで、補助露受皿５も同時に外れることになり、サービス性が向上するだけでなく、部品点数を削減することができるので、組み立て性の向上およびコスト削減にも繋がる。
【００２０】
また、本発明の補助露受皿５に保湿材料６を貼り付けておくことで、フィルタワク１を取外しを実施する際の水の滴下を防ぐことができ、また補助露受皿５に銀化合物あるいは銀化合物を内包した素材を使うことで、露受皿ならびに補助露受皿５における細菌繁殖を抑制することができる。
【産業上の利用可能性】
【００２１】
以上のように、本発明に係る空気調和機は熱交換器の正面にフィルタワクを備えた構造を持つ機器であれば、空気調和機に限らず広く適用できる。
【符号の説明】
【００２２】
１  フィルタワク
２  エアフィルタ
３  室内熱交換器
４  吹出しグリル
５  補助露受皿
６  保湿材料
【図１】
2011257027.tif 000003
【図２】
2011257027.tif 000004